(57)【要約】   【課題】屋根に立て掛ける梯子を軒樋吊具の任意の位置で安全に用いることができる梯子固定用金物を提供することを目的とする。  【解決手段】鼻板２に取付けられた軒樋３の軒樋吊具４を用いて（一対の梯子フレーム５からなる）梯子６を固定する梯子固定用金物１であって、この梯子固定用金物１は梯子固定部７と軒樋吊具４に固定される軒樋吊具固定部８とからなり一対の梯子フレーム５に対応してそれぞれ（一対）設けられる。前記軒樋吊具固定部８は軒樋吊具固定部本体９と挟持板１０とボルト・ナット等の固着具１１とからなる。梯子６に当接する梯子固定部７の形状は、矩形（幅Ｓ、長さＴ）の水平部材１２の先端部の一辺１３の両端部１４には矩形状の突起１５が幅Ｓ１、長さＴ１で設けられる。【選択図】  図１
2006207204.tif 000002
【特許請求の範囲】
【請求項１】
軒樋の軒樋吊具を用いて（一対の梯子フレームからなる）梯子を固定する梯子固定用金物であって、
この梯子固定用金物は梯子に当接する梯子固定部と軒樋吊具に固定される軒樋吊具固定部とからなり一対の梯子フレームに対応して（一対）設けられることを特徴とする梯子固定用金物。
【請求項２】
請求項１に記載の梯子固定用金物であって、前記軒樋吊具固定部は軒樋吊具固定部本体と挟持板とからなり、この軒樋吊具固定部本体と挟持板によって軒樋吊具を挟持するための固着具を備えることを特徴とする梯子固定用金物。
【請求項３】
請求項１又は請求項２に記載の梯子固定用金物であって、前記梯子固定用金物の梯子固定部の両端部に突起を備えることを特徴とする梯子固定用金物。      
【請求項４】
請求項３に記載の梯子固定用金物であって、前記梯子固定用金物の両端部の突起を除く中央部に、梯子の角度に対応する梯子安定板を設けることを特徴とする梯子固定用金物。
【請求項５】
請求項３又は請求項４に記載の梯子固定用金物であって、少なくとも一方の前記梯子固定用金物の両端部の突起に梯子フレームを係止する係止具を備えることを特徴とする梯子固定用金物。
【請求項６】
請求項１乃至請求項５のいずれか１項に記載の梯子固定用金物であって、前記軒樋吊具固定部本体に梯子と垂直方向に長穴が設けられることを特徴とする梯子固定用金物。
【請求項７】
請求項１乃至請求項５のいずれか１項に記載の梯子固定用金物であって、前記一方の梯子固定用金物は他方の梯子固定用金物よりも幅広に形成され、この一方の梯子固定用金物の軒樋吊具固定部本体に梯子と平行方向に長穴が設けられることを特徴とする梯子固定用金物。
【請求項８】
請求項７に記載の梯子固定用金物であって、前記一対の梯子固定用金物の前記梯子固定部と前記軒樋吊具固定部本体とが結合され、この結合部における一方の梯子固定用金物の前記突起は省略されることを特徴とする梯子固定用金物。
【発明の詳細な説明】
【技術分野】
【０００１】
本発明は、建築物の屋根への梯子の立て掛け用の梯子固定用金物の構造に関し、軒樋の破損防止の機能を有する梯子固定用金物の構造に関する。
【背景技術】
【０００２】
従来、建築物の屋根の補修工事や軒樋清掃をするために、梯子を屋根に立て掛けて作業者が屋根に上がる作業が行われていた。
【０００３】
ところが、図１０に示すように、一般的に軒樋８２は屋根面からの雨水を受けるために上方に開口した断面凹状の長尺状であり、軒樋吊具８１を介して軒先の鼻板８５に取付けられている。そして、雨水を軒樋８２に受入れるために軒樋８２の前壁８３は屋根から突出して取付けられている。
【０００４】
そのため、梯子８０は軒樋８２の前壁８３に直接当接して立て掛けられるので、梯子８０と作業人の荷重が梯子８０上部の当接部８４を介して前壁８３に掛かるので軒樋８２が変形や破損するという問題があった。さらに、梯子８０が横滑りして脱落する可能性もあった。
【０００５】
この問題を解決するために、例えば、特許文献１として実公平６−９１９７号公報に示されているような、所定位置に取付けた補強金物に梯子を立て掛けることにより梯子による荷重が直接軒樋にかからない構成が知られている。
【０００６】
特許文献１には、図１１、図１２に示すように、軒樋８７が建物の鼻板８８に取付けられた軒樋吊具８９に懸架されるが、梯子９０の取付け位置には梯子９０用の（軒樋吊具８９と兼用の）補強金物９１が配置されている。
【０００７】
補強金物９１は、建物からの突出方向に長さＭ、鼻板８８と平行方向に幅Ｎで、幅Ｎは梯子を保持するために梯子の全幅よりも広く設定される。また、補強金物９１の断面形状は、一端（前端側）を上方に屈曲して前端耳保持部９２が形成され、他端（後端側）には上方に折曲して内面９３と外面９４を備える後端耳保持部９５が形成される。
【０００８】
そして、断面凹形形状の軒樋８７の両端部の耳部が補強金物９１の前端耳保持部９２と後端耳保持部９５にそれぞれ装着される。
【０００９】
この状態で補強金物９１に梯子９０を立て掛けると、梯子９０からの荷重は軒樋８７本体に直接かかることなく補強金物９１で受け持つことができる。
【００１０】
そのため、軒樋８７が梯子９０からの荷重によって変形や破損が生ずることがなく、軒樋８７の変形や破損が原因で梯子８０が横滑りして脱落することも防止できる。
【特許文献１】実公平６−９１９７号公報
【発明の開示】
【発明が解決しようとする課題】
【００１１】
ところが、上記特許文献１の補強金物９１は補強金物９１の位置が予め特定されているので、梯子の立て掛け位置を任意に選ぶことはできなかった。そのため、作業内容によっては補強金物９１の位置に梯子を立て掛けることができないという問題があった。
【００１２】
さらに、補強金物９１が軒樋８７の開口部を全覆する構成なので、補強金物９１の下部は落ち葉等の溜り状況が目視で把握しにくいため樋詰まりが発生するという問題があった。
【００１３】
そこで、本発明は、屋根に立て掛ける梯子を任意の軒樋吊具位置（軒樋位置）で安全に用いることができる梯子固定用金物を提供することを目的とするものである。 
【課題を解決するための手段】
【００１４】
請求項１の発明は、軒樋の軒樋吊具を用いて（一対の梯子フレームからなる）梯子を固定する梯子固定用金物であって、この梯子固定用金物は梯子に当接する梯子固定部と軒樋吊具に固定される軒樋吊具固定部とからなり一対の梯子フレームに対応して（一対）設けられることを特徴としている。
【００１５】
この梯子固定用金物であれば、軒樋の軒樋吊具を用いて梯子を固定する梯子固定用金物なので、任意の軒樋吊具位置（軒樋位置）に梯子を立て掛けることができる。
【００１６】
請求項２の発明は、請求項１に記載の梯子固定用金物であって、前記軒樋吊具固定部は軒樋吊具固定部本体と挟持板とからなり、この軒樋吊具固定部本体と挟持板によって軒樋吊具を挟持するための固着具を備えることを特徴としている。
【００１７】
この梯子固定用金物であれば、軒樋吊具を軒樋吊具固定部本体と挟持板と固着具とによって容易に挟持できる。
【００１８】
請求項３の発明は、請求項１又は請求項２に記載の梯子固定用金物であって、前記梯子固定用金物の梯子固定部の両端部に突起を備えることを特徴としている。
【００１９】
この梯子固定用金物であれば、梯子フレームが梯子固定部の両端部の突起によって保持される。
【００２０】
請求項４の発明は、請求項３に記載の梯子固定用金物であって、前記梯子固定用金物の両端部の突起を除く中央部に、梯子の角度に対応する梯子安定板を設けることを特徴としている。
【００２１】
この梯子固定用金物であれば、梯子フレームが梯子安定板によって面接触で保持できる。
【００２２】
請求項５の発明は、請求項３又は請求項４に記載の梯子固定用金物であって、少なくとも一方の前記梯子固定用金物の両端部の突起に梯子フレームを係止する係止具を備えることを特徴としている。
【００２３】
この梯子固定用金物であれば、前記梯子固定用金物の両端部の突起に梯子フレームを係止する係止具が設けられるので、この係止具によって梯子フレームを梯子固定用金物に固定できる。
【００２４】
請求項６の発明は、請求項１乃至請求項５に記載の梯子固定用金物であって、前記軒樋吊具固定部本体に梯子と垂直方向に長穴が設けられることを特徴としている。
【００２５】
この梯子固定用金物であれば、長穴によって梯子固定用金物の位置を梯子と垂直方向に調整できる。
【００２６】
請求項７の発明は、請求項１乃至請求項５に記載の梯子固定用金物であって、前記一方の梯子固定用金物は他方の梯子固定用金物よりも幅広に形成され、この一方の梯子固定用金物の軒樋吊具固定部本体に梯子と平行方向に長穴を設けることを特徴としている。
【００２７】
この梯子固定用金物であれば、梯子固定用金物が梯子フレーム位置に対応するように梯子固定用金物を梯子と平行方向に調整できるので使用する梯子の幅に余裕ができる。
【００２８】
請求項８の発明は、請求項７に記載の梯子固定用金物であって、前記一対の梯子固定用金物の前記梯子固定部と前記軒樋吊具固定部本体とが結合され、この結合部における一方の梯子固定用金物の前記突起は省略されることを特徴としている。
【００２９】
この梯子固定用金物であれば、一対の梯子固定用金物が連続して形成されるので、梯子固定用金物の強度が向上する。
【発明の効果】
【００３０】
請求項１記載の発明によれば、任意の軒樋吊具位置（軒樋位置）に梯子を立て掛けることができるので安全性が高まり作業性も向上する。一対の軒樋吊具間の軒樋が遮蔽されないので、落ち葉等の詰まりが容易に発見できるので樋詰まりを未然に防ぐことができる。
【００３１】
請求項２記載の発明によれば、軒樋吊具固定部本体と挟持板と固着具とによって梯子固定用金物を軒樋吊具に容易に取付けできるので、梯子を安全に用いることができる。
【００３２】
請求項３記載の発明によれば、梯子フレームが突起によって保持されるので梯子の横滑りが防止できるので梯子の安全性が向上する。
【００３３】
請求項４記載の発明によれば、梯子フレームが梯子安定板によって面接触で保持できるので梯子をさらに安全に立て掛けることができる。
【００３４】
請求項５記載の発明によれば、この係止具によって梯子フレームが梯子固定用金物に固定できるので、梯子を安全に立て掛けて用いることができる。
【００３５】
請求項６記載の発明によれば、梯子固定用金物の位置を梯子と垂直方向に長穴によって調整できるので、種々の軒樋形状に対応することができる。
【００３６】
請求項７記載の発明によれば、梯子固定用金物を梯子フレーム位置に対応するように梯子と平行方向に調整できるので、使用する梯子の幅に余裕ができるため広幅や狭幅の梯子でも安定して用いることができる。
【００３７】
請求項８記載の発明によれば、一対の梯子固定用金物が連続して形成されるので、梯子固定用金物の強度が向上して広幅や狭幅の梯子であっても安定して用いることができる。
【発明を実施するための最良の形態】
【００３８】
＜梯子固定用金物の構成＞
以下に、本発明の実施形態を図１〜図９に基づいて説明する。
【００３９】
＜本発明の第１の実施形態＞
図１〜図３に示すように、本発明の第１の実施形態の梯子固定用金物１は、鼻板２に取付けられている軒樋３の軒樋吊具４を用いて（一対の梯子フレーム５からなる）梯子６を固定する梯子固定用金物１であって、この梯子固定用金物１は梯子固定部７と軒樋吊具４に固定される軒樋吊具固定部８とからなり一対の梯子フレーム５に対応してそれぞれ（一対）設けられる。
【００４０】
前記軒樋吊具固定部８は軒樋吊具固定部本体９と挟持板１０とボルト・ナット等の固着具１１とからなる。そして、この軒樋吊具固定部本体９と挟持板１０で軒樋吊具４を挟みボルト・ナット等の固着具１１によって締つけることにより、梯子固定用金物１は軒樋吊具４に挟持される。
【００４１】
＜軒樋３と軒樋吊具４の形状＞
軒樋吊具４は、鼻板２に固定される固定部材３０から突設した水平部材のアーム３１とアーム３１の先端部３２から立ち下がる斜部材３３とからなり、その斜部材３３の先端３４に段差部３５が設けられる。
【００４２】
アーム３１の先端部３２には軒樋３を吊下げ保持する際に軒樋３の一方の耳部４ａを保持するフック状の耳保持部３６が形成される。
【００４３】
固定部材３０近傍におけるアーム３１の下部側に、軒樋３の他方の耳部４ｂを保持する耳保持部３７が形成される。
【００４４】
そして、凹状の軒樋３は、一方の耳部４ａを耳保持部３６に、他方の耳部４ｂを耳保持部３７に保持されるとともに、軒樋３の一方の耳部４ａ側の底面隅部４ｃが段差部３５に嵌込み保持されることにより軒樋吊具４に確実に固着される。
【００４５】
このように軒樋３を取付けた状態で軒樋吊具４の固定部材３０が鼻板２に固着されると、軒樋３の底部３８が略水平になるように構成されている。
【００４６】
ここで、梯子固定用金物１の梯子固定部７は軒樋３の一方の耳部４ａに直接接触しないように取付けられる。
【００４７】
＜梯子固定用金物１の構造＞
梯子６が当接する梯子固定部７の形状は、矩形（幅Ｓ、長さＴ）の水平部材１２の先端部としての幅Ｓの一辺１３の両端部１４に矩形状の突起１５が幅Ｓ１、長さＴ１で設けられ、さらに水平部材１２の幅Ｓの他の辺１６は角度αで下方に延びる矩形斜板１７（水平部材１２から落差Ｋ）の一辺１８と連結している。
【００４８】
ここで、両端部１４の突起１５に挟まれる凹部１９の幅（Ｓ２＝Ｓ−Ｓ１ｘ２）は梯子フレーム５の幅Ｇと略同じ幅で梯子フレーム５を受入れることができるように形成されるので、Ｓ２≒Ｇの関係である。
【００４９】
軒樋吊具固定部本体９の形状は、幅Ｓ、長さＴ２の水平の矩形板で、この軒樋吊具固定部本体９の幅Ｓの一方の辺２０は矩形斜板１７の他方の辺２３に連結している。さらに、この矩形板の長さＴ２の中心で辺２０に平行な線２１上の中央部に一対の孔２２が距離Ｓ３離れて設けられる。
【００５０】
挟持板１０は幅Ｕ、長さＶの矩形で、この矩形板の長さＶの垂直二等分線２６上の中央部には一対の孔２７が距離Ｕ１離れて設けられる。
【００５１】
そして、この孔２２、２７を介してボルト・ナット等の固着具１１によって軒樋吊具固定部本体９と挟持板１０を締め付けることによって軒樋吊具固定部８は軒樋吊具４に挟持することができる。そのため、軒樋吊具固定部本体９の孔２２と挟持板１０の孔２７は同じ径の大きさで、それぞれ一対の孔２２、２７の位置は同じでありＳ３＝Ｕ１の関係になる。
【００５２】
また、軒樋吊具固定部本体９と挟持板１０は幅と長さが同じ大きさの矩形なので、
Ｓ＝Ｕ、Ｔ２＝Ｖの関係である。
【００５３】
なお、Ｓ３、Ｕ１の長さは軒樋吊具４にできるだけ近接するように設定するのが好ましく、軒樋吊具４に近接することで固着具１１による固着効果が向上する。角度αは軒樋３の一方の耳部４ａの形状に沿って近接する角度が選ばれる。
【００５４】
梯子固定用金物１の各部材の板厚は、梯子６の重さ、梯子６の立て掛け角度、作業者の荷重等を考慮して決定される。
【００５５】
＜梯子固定用金物の作用＞
上述のように、梯子固定用金物１は、鼻板２に取付けられる軒樋３の軒樋吊具４に固定されて、（一対の梯子フレーム５からなる）梯子６を保持することができる。そして、軒樋吊具４の標準取付け間隔は６００ｍｍであり標準的な梯子６の幅６００ｍｍ（一対の梯子フレーム５の中心間距離）と同じであるので、同じ構造の梯子固定用金物１を一対用いて任意の軒樋吊具４位置に立て掛けることができる。
【００５６】
さらに、梯子固定用金物１の梯子固定部７は軒樋３の一方の耳部４ａに直接接触しないように取付けられるので、軒樋３を破損することなく梯子６を安全に用いることができる。
【００５７】
梯子フレーム５が突起１５によって保持されるので梯子６の横滑りが防止できて安全性が向上する。
【００５８】
＜本発明の第２の実施形態＞
図４に示すように、本発明の第２の実施形態は、軒樋吊具固定部本体９に梯子と垂直方向に長孔４０が一対設けられる。なお、図３に示す梯子固定用金物１の構造と同構成部分については、図面に同符号を付して重複した説明を省略する。
【００５９】
軒樋吊具固定部本体９の形状は、幅Ｓ、長さＴ３の水平の矩形板で、この矩形板の長さＴ３の中心で辺２０に平行な線２１上の中央部には一対の長孔４０が距離Ｓ３離れて設けられる。長孔４０は長さＴ４で軒樋吊具固定部本体９の矩形板の一方の辺２０及び他方の辺４１の近傍まで設けられ、長孔４０の幅４０ａは固着具１１のボルト径と略同じである。
【００６０】
なお、梯子固定部７と挟持板１０は図３に示す梯子固定部７と挟持板１０と全く同じ構造である。
【００６１】
そして、この長孔４０と挟持板１０の孔２７を介してボルト・ナット等の固着具１１により軒樋吊具固定部本体９と挟持板１０を締め付けることによって梯子固定用金物１は軒樋吊具４に挟持することができる。
【００６２】
ここで、一対の長孔４０と孔２７のそれぞれの取付け距離は同じであり、
Ｓ３＝Ｕ１の関係である。
【００６３】
また、軒樋吊具固定部本体９と挟持板１０の幅は同じであるが長さが異なるので、
Ｓ＝Ｕ、Ｔ３＞Ｖの関係である。
【００６４】
この梯子固定用金物１であれば、（必要に応じて）長穴４０によって梯子固定用金物１の固定位置を梯子６と垂直方向に位置調整ができるので、軒樋吊具４のアーム３１形状に合わせて固定位置をずらすことが容易に可能になり梯子固定用金物１を軒樋３に直接接触せずに取付けできる。そのため、軒樋３が破損することなく梯子６を安全に用いることができる。
【００６５】
＜本発明の第３の実施形態＞
図５（ａ）、（ｂ）に示すように、本発明の第３の実施形態は、一方の梯子固定用金物１ａの幅Ｓ４は他方の梯子固定用金物１の幅Ｓよりも幅広に形成され（Ｓ４＞Ｓ）、一方の梯子固定用金物１ａの軒樋吊具固定部本体５０に梯子６と平行方向に長孔５１が設けられる。
【００６６】
なお、図３に示す梯子固定用金物１の構造と同構成部分については、図面に同符号を付して重複した説明を省略する。
【００６７】
軒樋吊具固定部本体５０の形状は、幅Ｓ４、長さＴ２の水平の矩形板で、この矩形板の長さＴ２の中心で辺２０に平行な線２１上の中央部には長孔５１が設けられる。長孔５１の長さＳ５は軒樋吊具固定部本体５０の幅Ｓ４の近傍まで設けられ、長孔５１の幅５１ａは固着具１１のボルト径と略同じ幅に形成される。
【００６８】
梯子固定部７は、その幅が軒樋吊具固定部本体５０の幅Ｓ４と同じ幅に形成される以外は図３に示す梯子固定部７全く同じ構造である。また、挟持板１０は図３に示す挟持板１０と全く同じ構造である。
【００６９】
この梯子固定用金物１ａであれば、一方の梯子固定用金物１ａの幅Ｓ４は他方の梯子固定用金物１の幅Ｓよりも幅広に形成される（Ｓ４＞Ｓ）とともに、長孔５１によって梯子固定用金物１ａを梯子６と平行方向に位置調整できる。  
そのため、使用可能な梯子６の幅６ａに余裕が確保できるので、この余裕範囲内において軒樋吊具４の取付けピッチＨよりも広幅や狭幅の梯子６を立て掛けることができて軒樋を破損することなく梯子を安全に用いることができる。
【００７０】
なお、梯子幅の代わりに相対的に軒樋吊具４の取付けピッチＨが変化しても同様の効果が得られる。
【００７１】
＜本発明の第４の実施形態＞
図６（ａ）、（ｂ）に示すように、本発明の第４の実施形態は、図５（ａ）、（ｂ）に示す梯子固定用金物５９が一方の梯子固定用金物１ａと他方の梯子固定用金物１のそれぞれの梯子固定部７及び軒樋吊具固定部本体５０を結合した構成である。
【００７２】
このとき、（幅広の）一方の梯子固定用金物１ａの突起１５は省略されるので、梯子６は一方の梯子フレーム５の２側面５ａ、５ｂを一対の突起１５によって保持される。そして、他方の梯子フレーム５の外側面５ｃに対応して一個の突起１５が設けられる。
【００７３】
この梯子固定用金物５９であれば、使用可能な梯子６の幅６ａに余裕が確保できるので、この余裕内において軒樋吊具４の取付けピッチＨよりも広幅や狭幅の梯子６を立て掛けることができる。また、長孔５１によって梯子６と平行方向に固定位置が調整できるので軒樋吊具４の取付けピッチＨ変化にも対応できる。
【００７４】
一方の梯子固定用金物１ａと他方の梯子固定用金物１のそれぞれの梯子固定部７及び軒樋吊具固定部本体５０が結合されて強度が増加するので梯子６を立て掛けた際の安定性が向上する。そのため、軒樋を破損することなく梯子を安全に用いることができる。
【００７５】
＜本発明の第５の実施形態＞
図７（ａ）、（ｂ）に示すように、本発明の第５の実施形態は、梯子固定用金物６０の両端部１４の突起１５を除く中央の凹部１９に接する水平部材１２の一辺１３から梯子６の立て掛け角度β（例えば７５度）と同じ角度で梯子安定板６１（幅Ｓ２、長さＴ３の矩形形状）が設けられる。
【００７６】
なお、図３に示す梯子固定用金物１の構造と同構成部分については、図面に同符号を付して重複した説明を省略する。
【００７７】
この梯子固定用金物６０であれば、梯子フレーム５の梯子固定用金物６０に対応する辺５ｄが梯子安定板６１により面接触で保持できるので、梯子６をさらに安定して立て掛けることができる。
【００７８】
＜本発明の第６の実施形態＞
図８（ａ）、（ｂ）、（ｃ）に示すように、本発明の第６の実施形態は、前記梯子固定用金物１の両端部１４の突起１５に梯子フレーム５を係止する係止具６３を備える。
【００７９】
なお、図３に示す梯子固定用金物１の構造と同構成部分については、図面に同符号を付して重複した説明を省略する。
【００８０】
この係止具６３は太い針金等の丸棒を使用して、幅Ｓ６、長さＴ４の矩形凹状に形成し、その矩形凹状の両先端部６４から長さＰの係止部６５が矩形凹状の面６６に対して略直角に延設される。
【００８１】
突起１５には係止具６３の係止部６５の径と略同じ径の孔６２がそれぞれ設けられ、この孔６２に係止部６５を挿入することにより梯子フレーム５を梯子固定用金物１に固着できる。なお、係止部６５の長さＰは容易に孔６２から抜け落ちない長さが設定され、好ましくは先端を曲げることによって抜け止め効果が得られる。
【００８２】
なお、係止具６３の幅Ｓ６と長さＴ４は、梯子フレーム５が係止具６３と凹部１９に挟まれて安定して保持できる寸法に設定される。
【００８３】
この梯子固定用金物１であれば、両端部１４の突起１５に梯子フレーム５を係止する係止具６３が設けられるので、梯子フレーム５を梯子固定用金物１に固定できるので安全性が向上する。
【００８４】
＜本発明の第７の実施形態＞
図９に示すように、本発明の第７の実施形態は、図８（ｃ）の太い針金等の丸棒からなる係止具６３の代わりに、紐や細い針金等の柔軟性のある係止具６７が用いられる。
【００８５】
この梯子固定用金物１であれば、係止具６７が柔軟性を持っているので、梯子フレーム５を梯子固定用金物１にガタツキなく固定することができる。そのため、梯子フレーム５を梯子固定用金物１にさらに安定して固定できるので安全性が向上する。
【００８６】
以上、本発明の実施形態を図面に基づいて説明したが、上記の実施例はいずれも本発明の一例を示したものであり、本発明はこれらに限定されるべきでないということはいうまでもない。
【００８７】
例えば、図８（ｃ）の係止具６３の係止部６５の先端にトグルピン等のストッパー機能を備えると抜け止めの効果が得られるので更に安定性および安全性が向上する。
【図面の簡単な説明】
【００８８】
【図１】本発明の第１の実施形態における斜視図である。
【図２】本発明の第１の実施形態における軒樋の軒樋吊具に取付けられた梯子固定用金物と梯子の関係を示す側面図である。
【図３】本発明の第１の実施形態における梯子固定用金物の、（ａ）は側面図、（ｂ）は図３（ａ）のＡ−Ａ矢視図、（ｃ）は図３（ａ）のＢ−Ｂ矢視図である。
【図４】本発明の第２の実施形態における梯子固定用金物の斜視図である。
【図５】本発明の第３の実施形態における梯子固定用金物の、（ａ）は斜視図、（ｂ）は図５（ａ）の“Ｃ”の詳細斜視図である。
【図６】本発明の第４の実施形態における梯子固定用金物の、（ａ）は斜視図、（ｂ）は図６（ａ）の“Ｄ”の詳細斜視図である。
【図７】本発明の第５の実施形態における梯子固定用金物の、（ａ）は斜視図、（ｂ）はＥ−Ｅ矢視図である。
【図８】本発明の第６の実施形態における梯子固定用金物の、（ａ）は斜視図、（ｂ）は“Ｆ”詳細斜視図、（ｃ）は“Ｇ“詳細斜視図である。
【図９】本発明の第７の実施形態における梯子固定用金物の斜視図である。
【図１０】従来の、屋根に梯子を立て掛けたときの梯子と軒樋との関連を示す側面図である。
【図１１】従来の、補強金物を用いた軒樋吊具に梯子を立て掛けたときの状態を示す側面図である。
【図１２】図１１における補強金物の詳細を示す斜視図である。
【符号の説明】
【００８９】
１  梯子固定用金物
２  鼻板
３  軒樋
４  軒樋吊具
５  梯子フレーム
６  梯子
７  梯子固定部
８  軒樋吊具固定部
９  軒樋吊具固定部本体
１０  挟持板
１１  固着具
１２  水平部材
１３  辺
１４  両端部
１５  突起
【図１】
2006207204.tif 000003
【図２】
2006207204.tif 000004
【図３】
2006207204.tif 000005
【図４】
2006207204.tif 000006
【図５】
2006207204.tif 000007
【図６】
2006207204.tif 000008
【図７】
2006207204.tif 000009
【図８】
2006207204.tif 000010
【図９】
2006207204.tif 000011
【図１０】
2006207204.tif 000012
【図１１】
2006207204.tif 000013
【図１２】
2006207204.tif 000014